(57)【要約】【課題】玉葱の茎葉部を起こして確実に切断できる簡単な構造の玉葱茎葉部切断装置を提供する。【解決手段】  畝に条植された玉葱の茎葉部を切断する玉葱茎葉部切断装置において、軸周りに回転する垂直の回転軸１２と、回転軸１２の下端に固定されて回転し、回転により発生する吸引力で起立させた茎葉部を切断する切断刃１０と、回転軸１２と切断刃１０が配置されて、切断刃１０で切断されて吸引力により飛ばされた茎葉を捕集するフード１６と、フード１６に連通して茎葉を吹き出すダクト１７と、玉葱茎葉部切断装置の後部の両側に一端が回転可能に枢着され、他端の高さが調整可能な一対の後輪支持フレーム６と、後輪支持フレーム６の他端に接地する後輪５を備えている。【選択図】図１
2017205077.tif 000002
【特許請求の範囲】
【請求項１】
畝に条植された玉葱の茎葉部を切断する玉葱茎葉部切断装置において、
垂直の軸周りに回転する一対の回転軸と、
前記一対の回転軸の下端の切断刃固定板に固定されて回転するとともに、前記回転により発生する吸引力で起立させた前記茎葉部を切断する切断刃と、
前記回転軸と前記切断刃が配置されて、前記切断刃で切断されて前記吸引力により飛ばされた茎葉を捕集するフードと、
前記フードに連通するとともに、前記茎葉を吹き出す吹出口に連通するダクトと、
前記玉葱茎葉部切断装置の後部の両側に一端が回転可能に枢着され、他端の高さが調整可能な一対の後輪支持フレームと、
前記後輪支持フレーの前記他端には接地する後輪が固定されていることを特徴とする玉葱茎葉部切断装置。
【請求項２】
前記一対の回転軸の下端の切断刃固定板は、吹出口側にある切断刃固定板の傾斜角度が、吹出口から離れた側にある他方の切断刃固定板の傾斜角度より小さく設定されていることを特徴とする請求項１に記載の玉葱茎葉部切断装置。
【請求項３】
前記玉葱茎葉部切断装置の後部に畝面を覆っているマルチシートが剥がれて吸い込まれるのを防止する一対のソリ状のマルチシート吸い込み防止板を備えていることを特徴とする請求項１又は２に記載の玉葱茎葉部切断装置。
【請求項４】
前記玉葱茎葉部切断装置の前部とトラクター後部の連結部が、前記茎葉部切断装置を回転により持ち上げ可能であることを特徴とする請求項１、２又は３に記載の玉葱茎葉部切断装置。
【発明の詳細な説明】
【技術分野】
【０００１】
本発明は、玉葱を収穫する際に、玉葱の茎葉部を切断する玉葱茎葉部切断装置に関する。
【背景技術】
【０００２】
マルチフィルムを使用した玉葱の栽培では、玉葱の収穫時に茎葉部がマルチフィルムの上に倒伏した状態となっているためにマルチフィルムを剥がすことが困難となっている。そのため、倒伏した茎葉部を予め切断してマルチフィルムを剥がし易いようにしてからマルチフィルムを剥がした後、玉葱を掘り起こして収穫する方法が採用されている。この方法において、茎葉部を切断し易くするため、倒伏した茎葉部を起立させて切断する方法が提案されている。
【０００３】
茎葉部の切断時に倒伏した茎葉部を起立させる方法として、マルチフィルムを利用して茎葉部を起立させる方法（特許文献１，２参照）、あるいは、茎葉部引き起し装置や茎葉部立上装置を利用して茎葉部を起こして立たせる方法（特許文献３参照）が提案されている。
【０００４】
前記特許文献１では、収穫機にマルチフィルムを巻取り回収するフィルム巻取りローラを備えたフィルム剥離手段が配設され、マルチフィルムを引張りながら剥離することによりマルチ孔から突出した茎葉部を起立状態にしてマルチフィルムの下方位置で切断している。
【０００５】
また、前記特許文献２では、前記特許文献１においてはマルチフィルムを適切に剥離できないことから、マルチフィルムの下面に風を吹き込んでマルチフィルムの剥離を補助する剥離補助手段を設けたもので、この剥離補助手段により風がマルチフィルムの下面に向って放出されてマルチフィルムが地面から浮上し、このマルチフィルムの浮上とともに倒伏状態の茎葉部が起立状態となってマルチフィルムの下面で切断手段により精度よく切断できる、というものである。
【０００６】
また、前記特許文献３の起立手段では、歩行型の根菜類収穫機に根菜類の茎葉部を引き起す茎葉部引き起し装置を設け、この茎葉部引き起し装置の後部に引き起した茎葉部を挟んで立ち上げる茎葉部立上装置を設け、この茎葉部立上装置で立ち上げた茎葉部の根元に茎葉部切断刃を設けることにより、茎葉部の根元を茎葉部切断刃で確実に切断できる、というものである。
【先行技術文献】
【特許文献】
【０００７】
【特許文献１】特開２０００−２７９０１１号公報
【特許文献２】特開２００４−１４１１２１号公報
【特許文献３】特開２０１４−１０３９１１号公報
【発明の概要】
【発明が解決しようとする課題】
【０００８】
前記特許文献１，２に記載されている収穫機では、マルチフィルムを利用するためにフィルム巻取りローラなどのマルチフィルム剥離手段を設ける必要があり、また、マルチフィルムに破れなどの不具合があるとマルチフィルムが茎葉部に当たらずに起立させることができないという問題があり、また、マルチフィルムを使用しない栽培には使用できないという欠点がある。
【０００９】
さらに、前記特許文献３に記載されている収穫機では、茎葉部を引き起す茎葉部引き起し装置、引き起し茎葉部を挟んで立ち上げる茎葉部立上装置、この茎葉部立上装置の駆動装置を必要とするため、収穫機の構造が複雑となるという問題がある。
【００１０】
そこで、本発明は、倒伏した玉葱の茎葉部を切断刃の回転により確実に起こして切断できる玉葱茎葉部切断装置を提供するものである。
【課題を解決するための手段】
【００１１】
本願請求項１の発明は、畝に条植された玉葱の茎葉部を切断する玉葱茎葉部切断装置において、垂直の軸周りに回転する一対の回転軸と、前記一対の回転軸の下端の切断刃固定板に固定されて回転するとともに、前記回転により発生する吸引力で起立させた前記茎葉部を切断する切断刃と、前記回転軸と前記切断刃が配置されて、前記切断刃で切断されて前記吸引力により飛ばされた茎葉を捕集するフードと、前記フードに連通するとともに、前記茎葉を吹き出す吹出口に連通するダクトと、前記玉葱茎葉部切断装置の後部の両側に一端が回転可能に枢着され、他端の高さが調整可能な一対の後輪支持フレームと、前記後輪支持フレーの前記他端には接地する後輪が固定されていることを特徴とする玉葱茎葉部切断装置である。
【００１２】
本願請求項２の発明は、前記一対の回転軸の下端の切断刃固定板は、吹出口側にある切断刃固定板の傾斜角度が、吹出口から離れた側にある他方の切断刃固定板の傾斜角度より小さく設定されていることを特徴とする請求項１に記載の玉葱茎葉部切断装置である。
【００１３】
本願請求項３の発明は、前記玉葱茎葉部切断装置の後部に畝面を覆っているマルチシートが剥がれて吸い込まれるのを防止する一対のソリ状のマルチシート吸い込み防止板を備えていることを特徴とする請求項１又は２に記載の玉葱茎葉部切断装置である。
【００１４】
本願請求項４の発明は、前記玉葱茎葉部切断装置の前部とトラクター後部の連結部が、前記茎葉部切断装置を回転により持ち上げ可能であることを特徴とする請求項１、２又は３に記載の玉葱茎葉部切断装置である。
【発明の効果】
【００１５】
本発明の玉葱茎葉部切断装置（以下「茎葉部切断装置」という。）は、茎葉部の倒伏状態に影響されることなく茎葉部を吸引力により吸い上げて起こすことができるので、確実に茎葉部を起こして切断することができる。
【００１６】
本発明の茎葉部切断装置の茎葉部を起こす手段は、回転による吸引力を利用するために切断刃を高速回転させるだけなので、従来のフィルム巻き取り装置でマルチフィルムを引っ張って茎葉部を起こす手段、茎葉部引き起し装置と茎葉部立上装置などで茎葉部を起こす手段に比べて、簡単な手段で構成することが可能となる。
【００１７】
本発明の茎葉部切断装置は、茎葉部を起こすのにマルチフィルムを利用しないので、マルチフィルムを使用しない玉葱栽培においても使用できる。
【図面の簡単な説明】
【００１８】
【図１】本発明の茎葉部切断装置をトラクターに連結した状態を示す図である。
【図２】本発明の茎葉部切断装置を後ろ側から見た図である。
【図３】本発明の切断刃を回転させる機構を示す図である。
【図４】本発明の茎葉部切断装置を底面から見た図である。
【発明を実施するための形態】
【００１９】
本発明の実施例について図面を参照しながら説明する。
【実施例１】
【００２０】
図面に示すように、本発明の茎葉部切断装置１は、トラクター２に連結して前進後退させるため、茎葉部切断装置１の前部（トラクター側）がトラクター２の後部に連結部材３で切り離し可能に連結される。茎葉部切断装置１は、路上走行や点検の際に地面から持ち上げることができるように、トラクター２と連結されている連結シリンダ４により引き上げ可能になっている。
【００２１】
茎葉部切断装置１の後部（トラクターと反対側）の両側には、玉葱を植えた畝を跨いで移動する一対の後輪５が配置され、この後輪５は一対の後輪支持フレーム６の先端にそれぞれに固定されている。後輪支持フレーム６は、その一端が茎葉部切断装置１の後部に回転可能に枢着され、他端が茎葉部切断装置１の後部に連結されているピストン７とシリンダ８からなる伸縮部材により支持されている。こうして後輪支持フレーム６に固定された後輪５とトラクター２との間で茎葉部切断装置１が支持され、畝を跨いで両側の通路を後輪５で移動する。
【００２２】
伸縮部材であるピストン7とシリンダを作動させて伸縮させ、後輪支持フレーム６の上下動により後輪５を上下させて茎葉部切断装置１のレベルが調整される。茎葉部切断装置１のレベルの調整により、茎葉部切断装置１内の回転軸１２の下端の切断刃固定板９に固定された切断刃１０のレベルを茎葉部の最適切断レベル位置に位置決めすることができる。
【００２３】
なお、伸縮部材は、ピストン７とシリンダ８に代えて、例えば、連結部材をターンバックルを介して接続し、ターンバックルの回転により連結部材を伸縮させて後輪支持フレーム６を上下させることにより茎葉部切断装置１のレベルが調整できるようにしてもよい。
【００２４】
本発明では、茎葉部を切断する際、切断刃１０の回転により畝面に倒れている茎葉部を起立させるための吸引力を発生させるので、茎葉部切断装置１の後部には、吸引力によって畝面を覆っているマルチフィルムが剥がされて茎葉部切断装置１内に吸い込まれるのを防止するため、一対のソリ状のマルチフィルム吸い込み防止板１１が条植された玉葱の間に位置するように取り付けられている。
【００２５】
茎葉部切断装置１には、後述するフード１６内に回転軸１２の下端の切断刃固定板９に固定された切断刃１０が、間隔をおいて一対配置される。切断刃１０は、回転により吸引力を発生させて倒れている茎葉部を起こし、切断する。切断刃１０は、片刃あるいは両刃が交換可能に固定される。両刃の場合は、反転させて両側の刃をそれぞれ使用することができる。
【００２６】
切断刃１０を固定する切断刃固定板９は、回転軸１２の回転により切断刃１０を回転させて空気を茎葉部切断装置１内へ吸い込む吸引力を発生させるために傾斜した形状となっている。切断刃固定板９の傾斜角度は、切断刃１０の回転により吸引力を発生させて茎葉部を起こして切断を行うため、約２０〜３０度が好ましい。ただし、吸引力によりマルチフィルムが吸い込まれるのを防止するため、一対の切断刃固定板９のうち、後述するダクト１７の茎葉の吹出口１７ａ側（図３において左側）にある一方の切断刃固定板９の傾斜角度を、吹出口１７ａから離れた側（図３において右側）の他方の切断刃固定板９の傾斜角度より小さく設定し、例えば、吹出口１７ａ側の一方の切断刃固定板９の傾斜角度を約２０度、他方の切断刃固定板９の傾斜角度を約３０度にする。
【００２７】
切断刃１０が固定された回転軸１２を回転させる機構は、周知の回転機構により構成することができる。例えば、図３に示すように、トラクター２の回転駆動装置に連結された回転駆動軸１３の回転が、プーリー１４ａとベルト１４ｂにより回転伝達軸１５に伝達され、回転伝達軸１５の回転は回転伝達軸１５の先端の傘歯車１５ａにかみ合う、回転軸１２の上端の傘歯車１２ａに伝達されて切断刃９を回転させる伝達機構で構成する。切断刃１０の回転数は、茎葉部を起立させる吸引力を発生させるとともに、茎葉部を切断するためには６００〜８００ｒｐｍ以上にする。
【００２８】
茎葉部切断装置１は、茎葉部を吸引力で起立させ、切断刃１０で切断された茎葉が捕集されるフード１６を備える。フード１６の下部は吸引力により茎葉部を起こして切断するために開放され、上部、両側部、後部は切断刃１０を囲む壁で塞がれ、トラクター側の前部は切断されて吹き飛ばされる茎葉が衝突する部分にゴム製の干渉板が配置されている。
【００２９】
フード１６の一方の側部は、切断された茎葉を吹き出して茎葉部切断装置１の外に排出する通路となるダクト１７につながり、切断された茎葉が茎葉部切断装置１の外に排出される。ダクト１７の吹出口１７ａには、吹き出した茎葉を衝突させて飛び散らないようにする衝突格子１８が設けられ、茎葉を下側の通路に落下させる。
【００３０】
以上の構成からなる茎葉部切断装置の操作について説明する。
【００３１】
トラクター２で持ち上げられた状態で搬送されて来た茎葉部切断装置２を連結シリンダ４で地面側に回動させて後輪５を玉葱が条植された畝の両側の通路に接地させる。
【００３２】
次いで、切断刃１０のレベルを茎葉部の切断レベルに調整するため、茎葉部切断装置１と後輪支持フレーム６を接続するピストン７とシリンダ８を伸縮させて後輪支持フレーム６を上下させて後輪５の接地レベルを調整して切断刃１０を茎葉部の切断レベルに位置決めする。
【００３３】
茎葉部の切断レベルの位置決めが終了した後、トラクター２の回転駆動装置に連結されている回転駆動軸１３を回転させ、回転駆動軸１３に連結されている回転軸１２を回転させて下端の切断刃固定板９に固定されている切断刃１０を回転させながら茎葉部切断装置１をトラクター２で牽引していく。
【００３４】
トラクター２の牽引により茎葉部切断装置１が移動し始めると、切断刃１０の回転による発生する吸引力により倒伏している茎葉部が起立していくとともに、起立した茎葉部は高速回転する切断刃１０により次々と切断されていく。
【００３５】
切断刃１０で切断されるとともに吸引力により飛ばされた茎葉は、フード１６から側部のダクト１７を経て吹出口１７ａから吹き出し、衝突格子１８に衝突して下側の通路に落下する。こうして茎葉部を切断した後に玉葱を掘り起こして収穫する。
【符号の説明】
【００３６】
１：茎葉部切断装置
２：トラクター
３：連結部材
４：連結シリンダ
５：後輪
６：後輪支持フレーム
７：連結部材
８：ターンバックル
９：切断刃固定板
１０：切断刃
１１：マルチフィルム吸い込み防止板
１２：回転軸
１２ａ：傘歯車
１３：回転駆動軸
１４ａ：プーリー
１４ｂ：ベルト
１５：回転伝達軸
１５ａ：傘歯車
１６：フード
１７：ダクト
１７ａ：吹出口
１８：衝突格子
【図１】
2017205077.tif 000003
【図２】
2017205077.tif 000004
【図３】
2017205077.tif 000005
【図４】
2017205077.tif 000006